【手続補正書】
【提出日】平成31年3月8日(2019.3.8)
【手続補正１】
【補正対象書類名】特許請求の範囲
【補正対象項目名】全文
【補正方法】変更
【補正の内容】
【特許請求の範囲】
【請求項１】
非補償気圧情報を公共安全応答ポイント（ＰＳＡＰ）に提供するためにロケーションサーバによって実行される方法であって、
ユーザ機器に対する出動可能都市ロケーションを取得することと、ここにおいて、前記出動可能都市ロケーションが、プレゼンス情報データフォーマットロケーションオブジェクト（ＰＩＤＦ−ＬＯ）を備え、
前記ユーザ機器から非補償気圧（ＵＢＰ）を取得することと、
前記ＵＢＰが前記ＰＩＤＦ−ＬＯに含まれるように、前記ＵＢＰを前記出動可能都市ロケーションと組み合わせることと、
前記ＵＢＰと前記出動可能都市ロケーションとを前記ＰＳＡＰに提供することと
を備える方法。
【請求項２】
前記ＵＢＰおよび前記出動可能都市ロケーションがロケーションサーバによって取得される、請求項１に記載の方法。
【請求項３】
前記ロケーションサーバが、拡張サービングモバイルロケーションセンター（Ｅ−ＳＭＬＣ）、緊急安全ロケーションユーザプレーン位置特定（ＳＵＰＬ）ロケーションプラットフォーム（Ｅ−ＳＬＰ）、またはスタンドアロンサービングモバイルロケーションセンター（ＳＡＳ）のうちの１つである、請求項２に記載の方法。
【請求項４】
前記ＵＢＰが、ＯＭＡ  ＬＴＥ測位プロトコル拡張（ＬＰＰｅ）プロトコル、３ＧＰＰ  ＬＴＥ測位プロトコル（ＬＰＰ）、ＬＴＥ用の３ＧＰＰ無線リソース制御（ＲＲＣ）プロトコル、ＵＭＴＳ用の３ＧＰＰ  ＲＲＣプロトコル、３ＧＰＰ  ＬＴＥ測位プロトコルＡ（ＬＰＰａ）プロトコル、もしくは３ＧＰＰ測位計算アプリケーションパート（ＰＣＡＰ）プロトコル、またはそれらの組合せを介して前記ユーザ機器から取得される、請求項３に記載の方法。
【請求項５】
前記ＰＩＤＦ−ＬＯが国家緊急アドレスデータベース（ＮＥＡＤ）から取得される、請求項１に記載の方法。
【請求項６】
前記ＵＢＰと前記出動可能都市ロケーションとを前記ＰＳＡＰに提供することが、
３ＧＰＰ  Ｉｕｐｃ、Ｉｕ−ｃｓ、Ｉｕ−ｐｓ、ＳＬｓ、ＳＬｇ、Ｌｇ、Ｌｇｄ、もしくはＬ０インターフェース、またはそれらの組合せを介して、前記ＵＢＰと前記出動可能都市ロケーションとをゲートウェイに提供することと、
ＨＴＴＰ対応ロケーション配信（ＨＥＬＤ）プロトコル、ＯＭＡモバイルロケーションプロトコル（ＭＬＰ）、もしくはＴＩＡ／ＡＴＩＳ  Ｊ−ＳＴＤ−０３６  Ｅ２プロトコル、またはそれらの組合せを介して、少なくとも前記ＵＢＰを前記ゲートウェイから前記ＰＳＡＰに提供することと
を備える、請求項１に記載の方法。
【請求項７】
ユーザ機器（ＵＥ）と公共安全応答ポイント（ＰＳＡＰ）との間で非補償気圧を提供するためのゲートウェイであって、
非補償気圧（ＵＢＰ）を含むプレゼンス情報データフォーマットロケーションオブジェクト（ＰＩＤＦ−ＬＯ）を備える出動可能都市ロケーションレコードを受信するように構成されたネットワークインターフェースと、
前記出動可能都市ロケーションレコードから前記ＵＢＰを抽出するように構成されたプロセッサおよびメモリと、
前記ＵＢＰを前記ＰＳＡＰに提供するようにさらに構成された前記ネットワークインターフェースと
を備えるゲートウェイ。
【請求項８】
前記ネットワークインターフェースが前記出動可能都市ロケーションレコードを前記ＰＳＡＰに提供するようにさらに構成される、請求項７に記載のゲートウェイ。
【請求項９】
ユーザ機器（ＵＥ）に対する非補償気圧をゲートウェイに提供するためのロケーションサーバであって、
前記ＵＥから非補償気圧（ＵＢＰ）を取得し、
前記ＵＥに対する出動可能都市ロケーションを取得する
ように構成されたネットワークインターフェースと、ここにおいて、前記出動可能都市ロケーションが、プレゼンス情報データフォーマットロケーションオブジェクト（ＰＩＤＦ−ＬＯ）を備え、
前記ＵＢＰを含む出動可能都市ロケーションレコードを生成するために、前記ＵＢＰを前記出動可能都市ロケーションと組み合わせるように構成されたプロセッサおよびメモリと、ここにおいて、前記ＵＢＰが、前記ＰＩＤＦ−ＬＯに含まれ、
前記ＵＢＰを含む前記出動可能都市ロケーションレコードを前記ゲートウェイに提供するようにさらに構成された前記ネットワークインターフェースと
を備えるロケーションサーバ。
【請求項１０】
前記ネットワークインターフェースが、３ＧＰＰ  ＳＬｓ、ＳＬｇ、Ｌ０、Ｌｇ、Ｌｇｄ、Ｉｕｐｃ、Ｉｕ−ｃｓ、もしくはＩｕ−ｐｓインターフェース、またはそれらの組合せを介して、前記ＵＢＰを含む前記出動可能都市ロケーションレコードを前記ゲートウェイに提供するように構成される、請求項９に記載のロケーションサーバ。
【請求項１１】
前記プロセッサおよび前記メモリが、
空き都市ロケーションレコードを生成し、
前記空き都市ロケーションレコードと前記ＵＢＰとを組み合わせるように構成され、
前記ネットワークインターフェースが、前記空き都市ロケーションレコードとＵＢＰとを前記ゲートウェイに提供するようにさらに構成される、
請求項９に記載のロケーションサーバ。
【請求項１２】
ロングタームエボリューション（ＬＴＥ）アーキテクチャまたはユニバーサル移動体電気通信システム（ＵＭＴＳ）アーキテクチャにおいて、非補償気圧をユーザ機器（ＵＥ）からゲートウェイに提供するための方法であって、
前記ＵＥから非補償気圧（ＵＢＰ）とロケーション情報とを取得することと、
前記ロケーション情報に基づいて、前記ＵＥに対する出動可能都市ロケーションを取得することと、
前記ＵＢＰを含む出動可能都市ロケーションレコードを生成するために、前記ＵＢＰを前記出動可能都市ロケーションと組み合わせることと、ここにおいて、前記出動可能都市ロケーションレコードが、プレゼンス情報データフォーマットロケーションオブジェクト（ＰＩＤＦ−ＬＯ）を備え、前記ＰＩＤＦ−ＬＯが、前記ＵＢＰを含み、
前記ＵＢＰを含む前記出動可能都市ロケーションレコードを前記ゲートウェイに提供することと
を備える方法。
【請求項１３】
前記ＵＢＰを含む前記出動可能都市ロケーションレコードを前記ゲートウェイに提供することが、
３ＧＰＰ  ＳＬｓ、ＳＬｇ、Ｌ０、Ｌｇ、Ｌｇｄ、Ｉｕｐｃ、Ｉｕ−ｃｓ、もしくはＩｕ−ｐｓインターフェース、またはそれらの組合せを介して、前記ＵＢＰを含む前記出動可能都市ロケーションレコードを提供すること
を備える、請求項１２に記載の方法。
【請求項１４】
前記出動可能都市ロケーションを取得することが、空き都市ロケーションレコードを生成することを備え、
前記方法が、
前記空き都市ロケーションレコードと前記ＵＢＰとを組み合わせることと、
ＵＢＰを含む前記空き都市ロケーションレコードを前記ゲートウェイに提供することと
をさらに備える、請求項１２に記載の方法。
【請求項１５】
前記ゲートウェイが、前記ＵＢＰを含む前記出動可能都市ロケーションレコードを受信し、
前記出動可能都市ロケーションレコードから前記ＵＢＰを抽出し、
前記ＵＢＰを公共安全応答ポイント（ＰＳＡＰ）に提供する、
請求項１２に記載の方法。
【手続補正２】
【補正対象書類名】明細書
【補正対象項目名】０１０７
【補正方法】変更
【補正の内容】
【０１０７】
[00118]いくつかの例示的な構成を説明したが、本開示の趣旨から逸脱することなく、様々な変更形態、代替構成、および等価物が使用され得る。たとえば、上記の要素は、もっと大きいシステムの構成要素であってよく、他の規則が、様々な実施形態の適用例よりも優先されてよく、または様々な実施形態の適用例を別の方法で修正してもよい。また、いくつかのステップが、上記の要素が考慮される前、考慮されている間、または考慮された後に着手されてよい。したがって、上記の説明は特許請求の範囲を限定しない。
以下に本願の出願当初の特許請求の範囲に記載された発明を付記する。
［Ｃ１］
非補償気圧情報を公共安全応答ポイント（ＰＳＡＰ）に提供するための方法であって、
ユーザ機器に対する出動可能都市ロケーションを取得することと、
前記ユーザ機器から非補償気圧（ＵＢＰ）を取得することと、
前記ＵＢＰを前記出動可能都市ロケーションと組み合わせることと、
前記ＵＢＰと前記出動可能都市ロケーションとを前記ＰＳＡＰに提供することと
を備える方法。
［Ｃ２］
前記ＵＢＰおよび前記出動可能都市ロケーションがロケーションサーバによって取得される、Ｃ１に記載の方法。
［Ｃ３］
前記ロケーションサーバが、拡張サービングモバイルロケーションセンター（Ｅ−ＳＭＬＣ）、緊急安全ロケーションユーザプレーン位置特定（ＳＵＰＬ）ロケーションプラットフォーム（Ｅ−ＳＬＰ）、またはスタンドアロンサービングモバイルロケーションセンター（ＳＡＳ）のうちの１つである、Ｃ２に記載の方法。
［Ｃ４］
前記ＵＢＰが、ＯＭＡ  ＬＴＥ測位プロトコル拡張（ＬＰＰｅ）プロトコル、３ＧＰＰ  ＬＴＥ測位プロトコル（ＬＰＰ）、ＬＴＥ用の３ＧＰＰ無線リソース制御（ＲＲＣ）プロトコル、ＵＭＴＳ用の３ＧＰＰ  ＲＲＣプロトコル、３ＧＰＰ  ＬＴＥ測位プロトコルＡ（ＬＰＰａ）プロトコル、もしくは３ＧＰＰ測位計算アプリケーションパート（ＰＣＡＰ）プロトコル、またはそれらの組合せを介して前記ユーザ機器から取得される、Ｃ３に記載の方法。
［Ｃ５］
前記出動可能都市ロケーションがプレゼンス情報データフォーマットロケーションオブジェクト（ＰＩＤＦ−ＬＯ）を備える、Ｃ１に記載の方法。
［Ｃ６］
前記ＰＩＤＦ−ＬＯが国家緊急アドレスデータベース（ＮＥＡＤ）から取得される、Ｃ５に記載の方法。
［Ｃ７］
前記ＵＢＰと前記出動可能都市ロケーションとを前記ＰＳＡＰに提供することが、
３ＧＰＰ  Ｉｕｐｃ、Ｉｕ−ｃｓ、Ｉｕ−ｐｓ、ＳＬｓ、ＳＬｇ、Ｌｇ、Ｌｇｄ、もしくはＬ０インターフェース、またはそれらの組合せを介して、前記ＵＢＰと前記出動可能都市ロケーションとをゲートウェイに提供することと、
ＨＴＴＰ対応ロケーション配信（ＨＥＬＤ）プロトコル、ＯＭＡモバイルロケーションプロトコル（ＭＬＰ）、もしくはＴＩＡ／ＡＴＩＳ  Ｊ−ＳＴＤ−０３６  Ｅ２プロトコル、またはそれらの組合せを介して、少なくとも前記ＵＢＰを前記ゲートウェイから前記ＰＳＡＰに提供することと
を備える、Ｃ１に記載の方法。
［Ｃ８］
ユーザ機器（ＵＥ）と公共安全応答ポイント（ＰＳＡＰ）との間で非補償気圧を提供するためのゲートウェイであって、
非補償気圧（ＵＢＰ）を含む出動可能都市ロケーションレコードを受信するように構成されたネットワークインターフェースと、
前記出動可能都市ロケーションレコードから前記ＵＢＰを抽出するように構成されたプロセッサおよびメモリと、
前記ＵＢＰを前記ＰＳＡＰに提供するようにさらに構成された前記ネットワークインターフェースと
を備えるゲートウェイ。
［Ｃ９］
前記ネットワークインターフェースが、ＨＴＴＰ対応ロケーション配信（ＨＥＬＤ）プロトコル、ＯＭＡモバイルロケーションプロトコル（ＭＬＰ）、もしくはＴＩＡ／ＡＴＩＳ  Ｊ−ＳＴＤ−０３６  Ｅ２プロトコル、またはそれらの組合せを介して前記ＵＢＰを前記ＰＳＡＰに提供するように構成される、Ｃ８に記載のゲートウェイ。
［Ｃ１０］
前記ネットワークインターフェースが前記出動可能都市ロケーションレコードを前記ＰＳＡＰに提供するようにさらに構成される、Ｃ８に記載のゲートウェイ。
［Ｃ１１］
ユーザ機器（ＵＥ）に対する非補償気圧をゲートウェイに提供するためのロケーションサーバであって、
前記ＵＥから非補償気圧（ＵＢＰ）を取得し、
前記ＵＥに対する出動可能都市ロケーションを取得する
ように構成されたネットワークインターフェースと、
前記ＵＢＰを含む出動可能都市ロケーションレコードを生成するために、前記ＵＢＰを前記出動可能都市ロケーションと組み合わせるように構成されたプロセッサおよびメモリと、
前記ＵＢＰを含む前記出動可能都市ロケーションレコードを前記ゲートウェイに提供するようにさらに構成された前記ネットワークインターフェースと
を備えるロケーションサーバ。
［Ｃ１２］
拡張サービングモバイルロケーションセンター（Ｅ−ＳＭＬＣ）、緊急安全ユーザプレーン位置特定（ＳＵＰＬ）ロケーションプラットフォーム（Ｅ−ＳＬＰ）、またはスタンドアロンサービングモバイルロケーションセンター（ＳＡＳ）のうちの１つを備える、Ｃ１１に記載のロケーションサーバ。
［Ｃ１３］
前記ネットワークインターフェースが、３ＧＰＰ  ＳＬｓ、ＳＬｇ、Ｌ０、Ｌｇ、Ｌｇｄ、Ｉｕｐｃ、Ｉｕ−ｃｓ、もしくはＩｕ−ｐｓインターフェース、またはそれらの組合せを介して、前記ＵＢＰを含む前記出動可能都市ロケーションレコードを前記ゲートウェイに提供するように構成される、Ｃ１１に記載のロケーションサーバ。
［Ｃ１４］
前記プロセッサおよび前記メモリが、
空き都市ロケーションレコードを生成し、
前記空き都市ロケーションレコードと前記ＵＢＰとを組み合わせるように構成され、  前記ネットワークインターフェースが、前記空き都市ロケーションレコードとＵＢＰとを前記ゲートウェイに提供するようにさらに構成される、
Ｃ１１に記載のロケーションサーバ。
［Ｃ１５］
前記ＵＢＰが、ＯＭＡ  ＬＴＥ測位プロトコル拡張（ＬＰＰｅ）プロトコル、３ＧＰＰ  ＬＴＥ測位プロトコル（ＬＰＰ）、ＬＴＥ用の３ＧＰＰ無線リソース制御（ＲＲＣ）プロトコル、ＵＭＴＳ用の３ＧＰＰ  ＲＲＣプロトコル、３ＧＰＰ  ＬＴＥ測位プロトコルＡ（ＬＰＰａ）プロトコル、もしくは３ＧＰＰ測位計算アプリケーションパート（ＰＣＡＰ）プロトコル、またはそれらの組合せを介して前記ＵＥから取得される、Ｃ１１に記載のロケーションサーバ。
［Ｃ１６］
ロングタームエボリューション（ＬＴＥ）アーキテクチャまたはユニバーサル移動体電気通信システム（ＵＭＴＳ）アーキテクチャにおいて、非補償気圧をユーザ機器（ＵＥ）からゲートウェイに提供するための方法であって、
前記ＵＥから非補償気圧（ＵＢＰ）とロケーション情報とを取得することと、
前記ロケーション情報に基づいて、前記ＵＥに対する出動可能都市ロケーションを取得することと、
前記ＵＢＰを含む出動可能都市ロケーションレコードを生成するために、前記ＵＢＰを前記出動可能都市ロケーションと組み合わせることと、
前記ＵＢＰを含む前記出動可能都市ロケーションレコードを前記ゲートウェイに提供することと
を備える方法。
［Ｃ１７］
前記ＵＢＰおよび前記出動可能都市ロケーションが、拡張サービングモバイルロケーションセンター（Ｅ−ＳＭＬＣ）、緊急安全ユーザプレーン位置特定（ＳＵＰＬ）ロケーションプラットフォーム（Ｅ−ＳＬＰ）、またはスタンドアロンサービングモバイルロケーションセンター（ＳＡＳ）のうちの１つにおいて取得される、Ｃ１６に記載の方法。
［Ｃ１８］
前記ＵＢＰを含む前記出動可能都市ロケーションレコードを前記ゲートウェイに提供することが、
３ＧＰＰ  ＳＬｓ、ＳＬｇ、Ｌ０、Ｌｇ、Ｌｇｄ、Ｉｕｐｃ、Ｉｕ−ｃｓ、もしくはＩｕ−ｐｓインターフェース、またはそれらの組合せを介して、前記ＵＢＰを含む前記出動可能都市ロケーションレコードを提供すること
を備える、Ｃ１６に記載の方法。
［Ｃ１９］
前記出動可能都市ロケーションを取得することが、空き都市ロケーションレコードを生成することを備える、Ｃ１６に記載の方法。
［Ｃ２０］
前記空き都市ロケーションレコードと前記ＵＢＰとを組み合わせることと、
ＵＢＰを含む前記空き都市ロケーションレコードを前記ゲートウェイに提供することと
をさらに備える、Ｃ１９に記載の方法。
［Ｃ２１］
前記ＵＢＰおよび前記ロケーション情報が、ＯＭＡ  ＬＴＥ測位プロトコル拡張（ＬＰＰｅ）プロトコル、３ＧＰＰ  ＬＴＥ測位プロトコル（ＬＰＰ）、ＬＴＥ用の３ＧＰＰ無線リソース制御（ＲＲＣ）プロトコル、ＵＭＴＳ用の３ＧＰＰ  ＲＲＣプロトコル、３ＧＰＰ  ＬＴＥ測位プロトコルＡ（ＬＰＰａ）プロトコル、もしくは３ＧＰＰ測位計算アプリケーションパート（ＰＣＡＰ）プロトコル、またはそれらの組合せを介して前記ＵＥから取得される、Ｃ１６に記載の方法。
［Ｃ２２］
前記ゲートウェイが、前記ＵＢＰを含む前記出動可能都市ロケーションレコードを受信し、
前記出動可能都市ロケーションレコードから前記ＵＢＰを抽出し、
前記ＵＢＰを公共安全応答ポイント（ＰＳＡＰ）に提供する、
Ｃ１６に記載の方法。
［Ｃ２３］
前記ゲートウェイが、ＨＴＴＰ対応ロケーション配信（ＨＥＬＤ）プロトコル、ＯＭＡモバイルロケーションプロトコル（ＭＬＰ）、もしくはＴＩＡ／ＡＴＩＳ  Ｊ−ＳＴＤ−０３６  Ｅ２プロトコル、またはそれらの組合せを介して前記ＵＢＰを前記ＰＳＡＰに提供する、Ｃ２２に記載の方法。
［Ｃ２４］
前記ゲートウェイが、前記出動可能都市ロケーションレコードを前記ＰＳＡＰに提供する、Ｃ２２に記載の方法。